(57)【要約】【課題】試験片と廃液とを１箇所でまとめて収集し、簡単に廃棄できる検査装置用廃棄箱を提供する。【解決手段】この検査装置用廃棄箱１０は、検査済みの試験片５１０を移送して落下させる試験片移送部９４０と、廃液５２０を移送して排出する排出管９９６ａとを備えた検査装置９００に設置される検査装置用廃棄箱１０であって、試験片移送部９４０によって移送され落下した試験片５１０を収容するために上方に開口した第１開口部１４と、排出管９９６ａの先端９９６ｂを挿入するために側方に開口した第２開口部１４とが設けられている。【選択図】図１
2017101978.tif 000002
【特許請求の範囲】
【請求項１】
検査済みの試験片を移送して落下させる試験片移送部と、廃液を移送して排出する排出管とを備えた検査装置に設置される検査装置用廃棄箱であって、
前記試験片移送部によって移送され落下した前記試験片を収容するために上方に開口した第１開口部と、
前記排出管の先端を挿入するために側方に開口した第２開口部とが設けられた、検査装置用廃棄箱。
【請求項２】
長辺側の対向側面と短辺側の対向側面とからなる２組の対向側面と、それぞれの対向側面の下端に連設された底面とを備え、
前記第１開口部は、前記底面に対向する位置に設けられ、
前記第２開口部は、前記長辺側の一の対向側面に設けられている、請求項１に記載の検査装置用廃棄箱。
【請求項３】
前記第２開口部は、前記長辺側の一の対向側面における上端近傍かつ何れか一方の側方端近傍の領域に形成されている、請求項２に記載の検査装置用廃棄箱。
【請求項４】
前記第２開口部が設けられた前記長辺側の第１側面に対向する第２側面に、透明または半透明の窓部が設けられている、請求項２または３に記載の検査装置用廃棄箱。
【請求項５】
前記窓部は、前記第２側面において、前記底面近傍から前記第２開口部の下端位置より高い位置まで延びるように形成されている、請求項４に記載の検査装置用廃棄箱。
【請求項６】
前記第１側面に直交する方向から見て、前記窓部と前記第２開口部とは、互いに重ならない位置に形成されている、請求項４または５に記載の検査装置用廃棄箱。
【請求項７】
前記検査装置用廃棄箱の外面は、防水性の第１樹脂シートにより被覆されている、請求項１〜６のいずれか１項に記載の検査装置用廃棄箱。
【請求項８】
前記検査装置用廃棄箱の内面は、防水性の第２樹脂シートにより被覆されており、
前記検査装置用廃棄箱の内底面に被覆された前記第２樹脂シートには、前記内底面を露出させるための孔が形成されている、請求項７に記載の検査装置用廃棄箱。
【請求項９】
前記第２開口部が設けられた前記長辺側の第１側面に対向する第２側面の上端に連結し、前記第１開口部および前記第２開口部を閉鎖するための蓋部をさらに備える、請求項２に記載の検査装置用廃棄箱。
【請求項１０】
前記蓋部は、前記第２側面の上端に一体的に形成されている、請求項９に記載の検査装置用廃棄箱。
【請求項１１】
前記第２側面には、透明または半透明の窓部が設けられており、
前記第１側面に直交する方向から見て、前記窓部と前記第２開口部とは、互いに重ならない位置に形成され、
前記蓋部は、前記第１側面側から前記第２側面側に折り曲げられた状態において、前記窓部に沿った切欠部を有する、請求項９または１０に記載の検査装置用廃棄箱。
【請求項１２】
平面視において前記窓部と前記第２開口部とは互いに対角をなす位置に配置されている、請求項１１に記載の検査装置用廃棄箱。
【請求項１３】
前記第１側面には、第１係合部が設けられ、
前記蓋部には、廃棄される際に前記第１係合部と係合するための第２係合部が設けられている、請求項９〜１２のいずれか１項に記載の検査装置用廃棄箱。
【請求項１４】
可撓性のある紙により形成されている、請求項１〜１３のいずれか１項に記載の検査装置用廃棄箱。
【請求項１５】
生体試料が分注された試験片の色を検出するための検出部と、
検査装置用廃棄箱を、取り外し可能に設置するための設置部と、
色を検出済みの前記試験片を移送して、前記設置部に設置された前記検査装置用廃棄箱に落下させるための試験片移送部と、
廃液を移送して、前記設置部に設置された前記検査装置用廃棄箱に排出するための排出管と、を備え、
前記検査装置用廃棄箱には、前記試験片移送部によって移送され落下した前記試験片を収容するために上方に開口した第１開口部と、前記排出管の先端を挿入するために側方に開口した第２開口部とが設けられている、検査装置。
【請求項１６】
前記試験片に前記生体試料を分注するための分注部と、洗浄液により前記分注部を洗浄するための洗浄部とをさらに備え、
前記廃液は、前記分注部を洗浄した際の前記洗浄部におけるオーバフローに起因して生じた廃液である、請求項１５に記載の検査装置。
【請求項１７】
前記試験片移送部は、前記設置部に設置された前記検査装置用廃棄箱の前記第１開口部よりも高い位置に配置され、
前記排出管の先端は、前記設置部に設置された前記検査装置用廃棄箱の前記第２開口部と同じ高さ位置に配置されている、請求項１５または１６に記載の検査装置。
【請求項１８】
前記排出管の先端は、所定位置に固定され、
前記設置部は、検査装置本体に対して開閉可能であり、
前記設置部が前記検査装置本体に対して開いた状態から閉じた状態になる際に、前記排出管の先端が、前記第２開口部に挿入されるように構成されている、請求項１７に記載の検査装置。
【請求項１９】
前記設置部の外面には、前記検査装置用廃棄箱が前記設置部に設置された状態において、前記検査装置用廃棄箱に設けられた窓部に対応する位置に第３開口部が形成されている、請求項１５〜１８のいずれか１項に記載の検査装置。
【発明の詳細な説明】
【技術分野】
【０００１】
この発明は、検査装置用廃棄箱および検査装置に関する。
【背景技術】
【０００２】
特許文献１には、試験紙により尿検査を行う尿自動分析装置が開示されている。尿自動分析装置には、尿検査に使用された試験紙を収集するための袋または容器が設置される。
【先行技術文献】
【特許文献】
【０００３】
【特許文献１】特開２００１-１５３８７４号公報
【発明の概要】
【発明が解決しようとする課題】
【０００４】
上記特許文献１の分析装置では、装置の稼動により廃液が出る場合がある。この場合、試験紙と廃液とを１箇所でまとめて収集し、簡単に廃棄することが望まれている。
【０００５】
この発明は、試験片と廃液とを１箇所でまとめて収集し、簡単に廃棄することに向けたものである。
【課題を解決するための手段】
【０００６】
この発明の第１の局面による検査装置用廃棄箱は、検査済みの試験片を移送して落下させる試験片移送部と、廃液を移送して排出する排出管とを備えた検査装置に設置される検査装置用廃棄箱であって、試験片移送部によって移送され落下した試験片を収容するために上方に開口した第１開口部と、排出管の先端を挿入するために側方に開口した第２開口部とが設けられている。
【０００７】
この発明の第２の局面による検査装置は、生体試料が分注された試験片の色を検出するための検出部と、検査装置用廃棄箱を、取り外し可能に設置するための設置部と、色を検出済みの試験片を移送して、設置部に設置された検査装置用廃棄箱に落下させるための試験片移送部と、廃液を移送して、設置部に設置された検査装置用廃棄箱に排出するための排出管と、を備え、検査装置用廃棄箱には、試験片移送部によって移送され落下した試験片を収容するために上方に開口した第１開口部と、排出管の先端を挿入するために側方に開口した第２開口部とが設けられている。
【発明の効果】
【０００８】
試験片と廃液とを１箇所でまとめて収集し、簡単に廃棄できる。
【図面の簡単な説明】
【０００９】
【図１】検査装置用廃棄箱を説明するための概念図である。
【図２】検査装置用廃棄箱の斜視図である。
【図３】窓部がある側面側から見た検査装置用廃棄箱の斜視図である。
【図４】窓部の別の構成例を示した図である。
【図５】窓部のさらに別の構成例を示した図である。
【図６】検査装置用廃棄箱の樹脂シートに形成された孔を示した図である。
【図７】蓋部を閉鎖した状態の検査装置用廃棄箱を示した斜視図である。
【図８】フラップを設けた検査装置用廃棄箱を示した図である。
【図９】検査装置の内部を示した模式図である。
【図１０】検査装置用廃棄箱を検査装置の設置部に設置する状態を示した図である。
【図１１】閉状態にする途中の状態の設置部を示した図である。
【発明を実施するための形態】
【００１０】
以下、実施形態を図面に基づいて説明する。
【００１１】
図１〜図８を参照して、本実施形態による検査装置用廃棄箱１０の構成について説明する。
【００１２】
（検査装置用廃棄箱の概要）
図１は、検査装置用廃棄箱１０を説明するための図である。検査装置用廃棄箱１０は、検査装置９００の設置部９１０に設置されて使用される。検査装置９００は、検査装置において使用された試験片５１０を移送して検査装置用廃棄箱１０に落下させるための試験片移送部９４０を備えている。検査装置９００は、検査装置の稼動により発生した廃液５２０を移送して検査装置用廃棄箱１０に排出するための排出管９９６ａを備えている。
【００１３】
検査装置用廃棄箱１０は、側面１１と、側面１１の下端に連設された底面１２とを含む廃棄箱本体１０ａを備える。検査装置用廃棄箱１０は、箱状に形成され、使い捨てされる。側面１１は、複数の側面を含んでいる。複数の側面は、側面１１ａおよび側面１１ｂを含んでいる。検査装置用廃棄箱１０は、液体吸収性および可撓性のある紙により形成されている。具体的には、検査装置用廃棄箱１０は、表面および裏面が白色のコートボールにより形成され、コートボールは、木材パルプ、古紙パルプ等を原料とする。検査装置用廃棄箱１０は、合成繊維を主原料とした合成紙であってもよい。
【００１４】
検査装置用廃棄箱１０の上端部１３には、上方に開口する開口部１４が設けられている。開口部１４は、検査装置９００において使用されて検査装置９００の試験片移送部９４０により移送され落下した試験片５１０を上方から内部に収容するために設けられている。試験片５１０は、検査のために生体試料が滴下される物体である。試験片５１０は、試験紙である。試験片５１０は、滴下された生体試料と反応するための反応部５１０ａを有していている。試験片５１０は、複数項目の検査に対応するように、各検査項目に対応する複数の反応部５１０ａを有していてもよい。試験片５１０は、検査のために使用された後、検査装置用廃棄箱１０の上方から落下され、開口部１４を介して検査装置用廃棄箱１０の内部に収容される。
【００１５】
検査装置用廃棄箱１０の側面１１ａには、開口部１５が設けられている。開口部１５は、側方に開口している。検査装置用廃棄箱１０は、開口部１５が検査装置９００の中心側を向くように配置される。開口部１５は、開口部１４よりも低い高さ位置に形成される。開口部１５は、検査装置９００の稼動により発生して排出管９９６ａにより移送された廃液５２０を側方から内部に収容するために設けられている。開口部１５には、検査装置９００の排出管９９６ａの先端９９６ｂが挿入可能である。廃液５２０は、開口部１５の側方から開口部１５を介して検査装置用廃棄箱１０の内部に収容される。
【００１６】
以上の構成により、検査装置９００の稼動により試験片５１０と廃液５２０とが発生しても、試験片５１０と廃液５２０とを１箇所でまとめて収集し、簡単に廃棄できる。すなわち、使用済みの試験片５１０と、廃液５２０とを１箇所でまとめて収集し、簡単に廃棄できる。
【００１７】
また、以上の構成により、試験片５１０および廃液５２０を、それぞれ、開口部１４および開口部１５から、個別に収集できる。これにより、試験片５１０および廃液５２０が、検査装置用廃棄箱１０の内部に収容される際に、互いに競合せず、スムーズに収集される。また、検査装置用廃棄箱１０を使い捨てにすることにより、バイオハザードを容易に抑制できる。
【００１８】
（検査装置用廃棄箱の詳細な構成）
以下、図２以降を参照して、図１に示した検査装置用廃棄箱１０の好ましい実施形態の構成について具体的に説明する。
【００１９】
図２に示すように、検査装置用廃棄箱１０の廃棄箱本体１０ａは、概略的には、上方に開口する直方体形状に形成されている。平面視において、廃棄箱本体１０ａは、対向する長辺と対向する短辺からなる長方形形状を示す。廃棄箱本体１０ａは、４つの側面を含んでいる。４つの側面は、側面１１ａ〜側面１１ｄである。側面１１ａと側面１１ｂとは、長辺側の側面であり、外形形状が等しく、互いに対向している。側面１１ｃと側面１１ｄとは、短辺側の側面であり、外形形状および面積が等しく、互いに対向している。側面１１ａは、側面１１ｃおよび側面１１ｄと直交している。側面１１ｂは、側面１１ｃおよび側面１１ｄと直交している。検査装置用廃棄箱１０は、廃棄箱本体１０ａと、廃棄箱本体１０ａの外面１０ｂを覆う樹脂シート１０１ｂと、廃棄箱本体１０ａの内面１０ｃを覆う樹脂シート１０１ｃとにより構成されている。なお、廃棄箱本体１０ａの外面１０ｂは、樹脂シート１０１ｂにより覆われていなくてもよい。廃棄箱本体１０ａの内面１０ｃは、樹脂シート１０１ｃにより覆われていなくてもよい。
【００２０】
開口部１４は、廃棄箱本体１０ａの上端部１３の全体が開口する形状に形成されている。開口部１４は、平面視において、長方形形状である。開口部１４は、１つ設けられている。なお、廃棄箱本体１０ａが上面を備えており、上面の一部を貫通するように開口部１４が設けられてもよい。開口部１４は、平面視において、長方形以外の形状であってもよい。開口部１４は、複数設けられてもよい。
【００２１】
開口部１５は、廃棄箱本体１０ａの中心の高さ位置よりも高い位置に形成されている。詳細には、開口部１５は、側面１１ａの上端近傍かつ何れか一方の側方端近傍の領域に形成されている。より詳細には、開口部１５は、側面１１ａを正面から見た場合に、側面１１ａの右上の領域に形成されている。開口部１５における下端部の高さＨ２は、廃棄箱本体１０ａの中心の高さＨ１よりも高い。開口部１５は、廃棄箱本体１０ａの中心の高さ位置よりも高い領域に収まるように形成されている。開口部１５は、廃棄箱本体１０ａの中心の高さ位置よりも高い上部１０ｕの位置で、かつ、廃棄箱本体１０ａの高さ方向における、上部１０ｕの中心位置１０１ｕの近傍に形成されている。これにより、廃棄箱本体１０ａに廃液５２０を収容する際に、廃棄箱本体１０ａの中心の高さ位置よりも高い位置まで廃液５２０を収容できる。その結果、廃液５２０の収容量を多くできる。また、排出管９９６ａの先端９９６ｂが廃棄箱本体１０ａの開口部１４の上方に位置づけられるよう廃棄箱本体１０ａの高さを小さくし、排出管９９６ａからの廃液５２０を開口部１４を介して廃棄箱本体１０ａ内に収容する場合に比べて、側面１１ａに形成された開口部１５を介して廃液５２０を廃棄箱本体１０ａ内に収容可能にすることにより、廃棄箱本体１０ａ全体の高さを大きくすることができる。そのため、より多くの試験片５１０を廃棄箱本体１０ａ内に収容することができる。なお、開口部１５は、廃棄箱本体１０ａの中心の高さ位置以下の高さ位置に形成されていてもよい。
【００２２】
開口部１５は、側面１１ａにおける側面１１ｄ側に設けられている。開口部１５は、円形状に形成されている。開口部１５は、１つ設けられている。開口部１５は、円形状以外の形状でもよい。開口部１５は、上方の開口部１４とは繋がってない独立した開口部であるが、開口部１４から繋がる切欠により形成されてもよい。開口部１５は、複数設けられてもよい。開口部１５は、縁部が側面１１ａによって形成されている。開口部１５は、周囲が側面１１ａによって取り囲まれている。これにより、側面１１ａの強度を増加させることができ、廃液５２０が廃棄箱本体１０ａに収容された場合であっても廃棄箱本体１０ａの形状が崩れることを抑制することができる。
【００２３】
側面１１ａには、係合部１６が設けられている。係合部１６は、廃棄箱本体１０ａの中心の高さ位置よりも高い位置に形成されている。詳細には、係合部１６における下端部の高さＨ３は、廃棄箱本体１０ａの中心の高さＨ１よりも高い。係合部１６における下端部の高さＨ３は、開口部１５における下端部の高さＨ２よりも低い。係合部１６は、側面１１ａに垂直な方向から見て、側面１１ａの横幅方向における略中央に設けられている。係合部１６は、孔により形成されている。係合部１６は、側面１１ａに垂直な方向から見て、側面１１ａに接する底辺１２ａと平行な方向に延びる横長形状に形成されている。なお、係合部１６の下端部が、開口部１５の下端部と略同じ高さであってもよい。
【００２４】
図３に示すように、検査装置用廃棄箱１０には、透明な窓部１７が設けられている。窓部１７は、側面１１ｂに設けられた開口１７ａを透明な樹脂シート１０１ｂにより覆うことで形成されている。これにより、廃棄箱本体１０ａを外部から視認した場合でも、窓部１７を介して廃棄箱本体１０ａの内部に収容された収容物を確認できる。なお、窓部１７は、樹脂以外の材料により形成されてもよい。窓部１７は、半透明であってもよい。
【００２５】
窓部１７は、側面１１ａに対向する側面１１ｂに設けられている。これにより、検査装置用廃棄箱１０の内部に廃液５２０を収容するための開口部１５を検査装置９００の中心側に向け、かつ、窓部１７を検査装置９００の外側に向けて、検査装置用廃棄箱１０を検査装置９００に配置できる。その結果、装置の稼動により発生した廃液５２０を容易に検査装置用廃棄箱１０の内部に収容しつつ、窓部１７から検査装置用廃棄箱１０の内部を視認できる。
【００２６】
窓部１７は、上下方向に延びる長方形形状である。窓部１７は、廃棄箱本体１０ａにおける下部から上部に向けて上下方向に延びるように形成されている。窓部１７は、廃棄箱本体１０ａにおける下端部２０の近傍から廃棄箱本体１０ａの中心の高さ位置よりも高い上部１０ｕの位置まで上方向に向けて延びるように形成されている。窓部１７は、廃棄箱本体１０ａにおける中心の高さ位置より下の領域から廃棄箱本体１０ａにおける中心の高さ位置より上の領域まで延びている。より詳細には、窓部１７は、開口部１５の下端位置よりも高い位置まで延びるように構成されている。これにより、廃棄箱本体１０ａの内部における収容物が増加した場合にも、収容量の変化を容易に認識できる。なお、窓部１７は、廃棄箱本体１０ａにおける中心の高さ位置より下の領域にのみあってもよい。窓部１７は、廃棄箱本体１０ａにおける中心の高さ位置より上の領域にのみあってもよい。
【００２７】
窓部１７は、側面１１ｂの幅方向における側面１１ｂの半分の幅Ｗ１より、小さい幅Ｗ２に形成されている。窓部１７は、側面１１ｂに接する底辺１２ｂと平行な方向における、側面１１ｂの半分の幅Ｗ１より、小さい幅Ｗ２に形成されている。窓部１７は、側面１１ｃに接する底辺１２ｃと平行な方向における側面１１ｃの幅Ｗ３より、小さい幅Ｗ２に形成されている。
【００２８】
窓部１７には、様々な構成を採用できる。たとえば、図４に示すように、窓部１７は、長方形以外の、楕円形形状に形成してもよい。他の構成として、窓部１７は、側面１１ｂに垂直な方向から見て、側面１１ｂに接する底辺１２ｂと平行な方向における、側面１１ｂの半分の幅Ｗ１より大きい幅を有していてもよい。また、図５に示すように、窓部１７は、側面１１ｂ以外の、たとえば、側面１１ａと垂直な側面１１ｄに設けてもよい。窓部１７は、たとえば、側面１１ａと垂直な側面１１ｃに設けてもよい。
【００２９】
廃棄箱本体１０ａの外面１０ｂは、防水性の樹脂シート１０１ｂにより被覆されている。これにより、検査装置用廃棄箱１０の内部に液体が収容された場合でも、検査装置用廃棄箱１０の外側に液体が漏れ出すのを抑制できる。
【００３０】
図３に示すように、樹脂シート１０１ｂは、外面１０ｂの全体に被覆されている。樹脂シート１０１ｂの材料は、ポリプロピレン（ｐｏｌｙｐｒｏｐｙｌｅｎｅ（ＰＰ））である。樹脂シート１０１ｂは、外面１０ｂの一部を被覆してもよい。樹脂シート１０１ｂの材料は、ポリプロピレン以外の材料であってもよい。
【００３１】
側面１１ａに対向する側面１１ｂには、開口１７ａが設けられている。廃棄箱本体１０ａの外面１０ｂと開口１７ａとが樹脂シート１０１ｂにより一体的に被覆されることにより、窓部１７が形成されている。樹脂シート１０１ｂは、透明である。これにより、開口１７ａを、廃棄箱本体１０ａの外面１０ｂと別途樹脂シート１０１ｂにより被覆して窓部１７を形成する場合に比べて、容易に窓部１７を形成できる。なお、樹脂シート１０１ｂは、半透明であってもよい。
【００３２】
廃棄箱本体１０ａの内面１０ｃは、防水性の樹脂シート１０１ｃにより被覆されている。樹脂シート１０１ｃは、内面１０ｃの全体に被覆されている。樹脂シート１０１ｃの材料は、樹脂シート１０１ｂの材料と同様、ポリプロピレンである。樹脂シート１０１ｃは、内面１０ｃの一部を被覆してもよい。樹脂シート１０１ｃの材料は、ポリプロピレン以外の材料であってもよい。樹脂シート１０１ｃおよび樹脂シート１０１ｂは、互いに異なる材料により構成されてもよい。
【００３３】
廃棄箱本体１０ａは、液体吸収性がある紙により形成されている。図６に示すように、内面１０ｃに被覆された樹脂シート１０１ｃには、廃棄箱本体１０ａの底面１２の上面（内底面）を露出させるための孔１０１ｄが形成されている。孔１０１ｄは、平面視において、一列に並ぶように複数設けられている。これにより、検査装置用廃棄箱１０の内部に収容された液体が、孔１０１ｄを介して、紙製の廃棄箱本体１０ａに吸収される。その結果、廃棄箱本体１０ａに吸収された液体の染みにより、検査装置用廃棄箱１０が使用済みであることが認識できる。したがって、使用済みの検査装置用廃棄箱１０が繰り返し使われるのを抑制し、バイオハザードを抑制できる。
【００３４】
また、孔１０１ｄは、１つだけ設けてもよい。孔１０１ｄは、概略的に、曲線状に形成されてもよい。孔１０１ｄは、側面１１に対応する位置の樹脂シート１０１ｃに形成されてもよい。
【００３５】
図３に示すように、廃棄箱本体１０ａは、蓋部１８を備えている。蓋部１８は、検査装置用廃棄箱１０が廃棄される際に開口部１４および開口部１５を閉鎖するために設けられている。これにより、検査装置用廃棄箱１０を廃棄する際に、検査装置用廃棄箱１０の内部から外部に収容物がこぼれるのを抑制できる。なお、廃棄箱本体１０ａは、蓋部１８を備えていなくてもよい。
【００３６】
窓部１７と開口部１５とは、側面１１ａに直交する方向から見て、互いに重ならない位置に形成されている。より具体的には、側面１１ａに直交する方向から見て、窓部１７と開口部１５は左右方向に並ぶように配置され、側面１１ａの中心位置において側面１１ａに直交する直線を介して、窓部１７と開口部１５とは互いに反対側に配置されている。また、平面視において、窓部１７と開口部１５とは互いに対角をなす位置に配置されている。これにより、側面１１ｂの側から側面１１ａの側に折り返すことにより開口部１５を閉鎖できる蓋部１８を設ける場合でも、蓋部１８が側面１１ｂの側に配置され開口部１５が閉鎖されていない状態で、窓部１７が蓋部１８により覆われるのを抑制できる。
【００３７】
蓋部１８は、廃棄箱本体１０ａに一体的に形成されている。これにより、検査装置用廃棄箱１０を廃棄する際、蓋部１８が廃棄箱本体１０ａと個別に設けられている場合と異なり、開口部１４および開口部１５を容易に閉鎖できる。その結果、検査装置用廃棄箱１０を廃棄する際の取り扱いを容易にできる。なお、蓋部１８は、廃棄箱本体１０ａと別体として設けられてもよい。
【００３８】
蓋部１８は、連結部１８ａを備えている。蓋部１８は、連結部１８ａにより、側面１１ａに対向する側面１１ｂの上端１１１ｂに連結されている。これにより、連結部１８ａを介して、蓋部１８を廃棄箱本体１０ａに容易に接続することができる。
【００３９】
蓋部１８は、接着部１８ｂを備えている。蓋部１８は、接着部１８ｂにより、取り外し可能な状態で側面１１ｂに接着されている。接着部１８ｂは、接着剤である。これにより、開口部１４および開口部１５を閉鎖する必要がない廃棄前の状態では、蓋部１８を側面１１ｂに固定された状態にしておき、容易に、検査装置用廃棄箱１０を検査装置９００に配置できる。接着部１８ｂは、たとえば、シールにより接着されてもよい。蓋部１８は、取り外し可能な状態で側面１１ｂに接着されていなくてもよい。
【００４０】
なお、開口部１４および開口部１５が閉鎖される際には、連結部１８ａおよび折曲部１８ｄが折り曲げられることにより、蓋部１８は、開口部１４および開口部１５を覆う。
【００４１】
蓋部１８は、切欠部１８ｅを有している。切欠部１８ｅにより、蓋部１８の一部が窓部１７に沿って矩形形状に切り欠かれている。蓋部１８は、切欠部１８ｅにより窓部１７を露出させた状態で側面１１ｂに配置されている。蓋部１８は、開口部１４および開口部１５を閉鎖しない状態では、切欠部１８ｅにより窓部１７を露出させている。蓋部１８は、窓部１７を覆わない状態で接着部１８ｂにより側面１１ｂに接着されている。これにより、開口部１４および開口部１５を閉鎖しない廃棄前の状態において、容易に、検査装置用廃棄箱１０を検査装置９００に配置しつつ、検査装置用廃棄箱１０を外部から視認した場合でも、検査装置用廃棄箱１０の内部における収容物を確認できる。図３の構成例では、閉鎖状態になっても、窓部１７が露出する。閉鎖状態で、窓部１７が覆われてもよい。
【００４２】
蓋部１８は、係合部１８ｃを備えている。係合部１８ｃは、廃棄される際に側面１１ａの係合部１６と係合するために設けられている。係合部１８ｃは、スリット状の係合部１６に係合できる形状に形成されている。図７に示すように、蓋部１８が、側面１１ｂの側から側面１１ａの側に折り曲げられることにより、開口部１４および開口部１５が閉鎖される。この際、係合部１６に係合部１８ｃが挿入される。係合部１６と係合部１８ｃとの係合により、蓋部１８による開口部１４および開口部１５の閉鎖状態が維持される。なお、図７では、説明の便宜上、開口部１５を点線により図示している。なお、蓋部１８は、係合部１８ｃを備えていなくてもよい。
【００４３】
なお、検査装置用廃棄箱１０の構成として、他の構成を採用してもよい。たとえば、図８に示すように、廃棄箱本体１０ａの上端部１３に片状のフラップ１９を設けてもよい。フラップ１９は、たとえば、１対設けることができる。フラップ１９は、平面視で、検査装置用廃棄箱１０の外形からはみ出さないように形成されている。フラップ１９は、検査装置用廃棄箱１０の内側に折り曲げられている。フラップ１９により、検査装置用廃棄箱１０を廃棄する際に上端部１３と蓋部１８との隙間から、収容物が外部に出るのを抑制できる。
【００４４】
（検査装置の構成）
次に、図９〜図１１を参照して、検査装置用廃棄箱１０が設置される検査装置９００について説明する。
【００４５】
図９に示すように、検査装置９００は、設置部９１０と、試験片保持部９２０と、試験片取出部９３０と、試験片移送部９４０と、分注部９５０と、測定部９６０と、検出部９７０と、洗浄部９８０と、流体回路部９９０と、を備えている。流体回路部９９０は、排出管９９６ａを含む移送部９９６を備えている。排出管９９６ａは、廃液５２０を移送して排出する。図９では、検査装置用廃棄箱１０を簡略化して図示している。
【００４６】
検査装置９００は、生体試料７００を検査するための検査装置である。生体試料７００は、尿７００ａであり、検査装置９００は、尿７００ａが滴下された試験片５１０の色を検出部９７０により検出することにより、尿定性分析を行う尿定性分析装置９００ａである。なお、生体試料７００は、尿７００ａ以外であってもよく、検査装置９００は、尿７００ａ以外の生体試料７００を検査する装置であってもよい。
【００４７】
（設置部の詳細な説明）
図１０に示すように、設置部９１０は、検査装置用廃棄箱１０を取り外し可能に設置する。設置部９１０は、内面側に検査装置用廃棄箱１０を保持できるホルダ部９１１を含んでいる。ホルダ部９１１は、上方が開口した容器である。設置部９１０は、回動軸９１０ａを介して、検査装置本体９００ｂに取り付けられている。設置部９１０は、回動軸９１０ａを回動中心として、検査装置本体９００ｂに対して開閉可能である。
【００４８】
設置部９１０は、開状態において、ホルダ部９１１に検査装置用廃棄箱１０を設置できる。ホルダ部９１１における底部の外枠部分は、開状態保持部材９１１ａの一端に接続されている。開状態保持部材９１１ａの他端は、検査装置９００の本体に接続されている。開状態保持部材９１１ａは、バネにより構成されている。開状態保持部材９１１ａは、ホルダ部９１１の底部を上方に引き上げる付勢力をホルダ部９１１に作用させることにより、設置部９１０に対して検査装置９００の外側への付勢力を与える。これにより、設置部９１０の開状態が、確実に維持される。開状態保持部材９１１ａは、付勢力を付与できればバネ以外であってもよい。
【００４９】
設置部９１０は、内面側に係合部９１２ａを備えている。閉状態において、設置部９１０の係合部９１２ａに対応する検査装置９００の位置には、係合部９１２ｂが設けられている。設置部９１０が検査装置９００の内側に押され、係合部９１２ａおよび９１２ｂが係合することにより、設置部９１０の閉状態が維持される。ホルダ部９１１に検査装置用廃棄箱１０が設置された設置部９１０を閉状態にすることにより、検査装置９００の稼動により発生した試験片５１０および廃液５２０を、検査装置用廃棄箱１０により収集できる状態となる。なお、設置部９１０は、係合部９１２ａを備えなくてもよい。検査装置９００は、係合部９１２ｂを備えなくてもよい。
【００５０】
設置部９１０の外面９１３には、開口部９１４が形成されている。開口部９１４は、検査装置用廃棄箱１０が設置部９１０に設置された状態において、検査装置用廃棄箱１０に設けられた窓部１７に対応する位置に形成されている。これにより、検査装置９００を外部から視認した場合でも、廃棄箱本体１０ａの内部における収容物を確認できる。
【００５１】
開口部９１４は、検査装置用廃棄箱１０が設置部９１０に設置された状態において、検査装置用廃棄箱１０に設けられた窓部１７を露出させている。開口部９１４は、検査装置用廃棄箱１０における窓部１７の少なくとも一部を露出させる形状であれば、図１０に示した窓部１７の形状と異なる形状でもよい。
【００５２】
設置部９１０の外面９１３は、平坦部９１３ａを有している。検査装置９００の設置部９１０が設けられた側の装置外面９０１は、平坦部９０１ａを有している。検査装置用廃棄箱１０が収容された設置部９１０が検査装置本体９００ｂに対して閉じた状態において、設置部９１０の外面９１３と、装置外面９０１とは、段差がなく、同一平面内に配置されている。これにより、検査装置用廃棄箱１０が収容された設置部９１０を閉じた場合でも、検査装置９００の外側に設置部９１０が突出しないので、検査装置９００の大型化を抑制できる。
【００５３】
図１１に示すように、検査装置用廃棄箱１０が収容された設置部９１０を閉じる際には、排出管９９６ａの先端９９６ｂが、検査装置用廃棄箱１０に接触しないように検査装置用廃棄箱１０の開口部１５により形成される空間を介して、検査装置用廃棄箱１０の内部に配置される。
【００５４】
（設置部以外の詳細な説明）
図９に示すように、試験片保持部９２０は、生体試料７００が滴下される前の試験片５１０を保持している。
【００５５】
試験片取出部９３０は、使用前の試験片５１０を試験片保持部９２０から取り出す。試験片取出部９３０は、吸引力により試験片保持部９２０から試験片５１０を取り出す。試験片取出部９３０は、滴下された生体試料７００を反応するための反応部５１０ａが上面となるように試験片５１０を試験片移送部９４０に配置する。試験片取出部９３０は、分注部９５０により生体試料７００が滴下されるタイミングに合わせて、試験片保持部９２０から試験片５１０を取り出し、試験片移送部９４０に配置する。試験片取出部９３０は、試験片保持部９２０から試験片５１０を取り出すための把持部を備えていてもよい。
【００５６】
試験片移送部９４０は、試験片取出部９３０により試験片保持部９２０から取り出された試験片５１０を、分注部９５０による滴下位置Ｐ２、および、検出部９７０の下方位置に、順次移送する。試験片移送部９４０は、設置部９１０に設置された検査装置用廃棄箱１０の開口部１４に、検出部９７０により色を検出済みの試験片５１０を移送する。試験片移送部９４０は、ベルトコンベアなどの搬送機構によって構成される。試験片移送部９４０の移送方向における下流側の端部が、閉状態の設置部９１０に設置された検査装置用廃棄箱１０の上方に位置している。これにより、試験片移送部９４０により移送した試験片５１０を、容易に検査装置用廃棄箱１０に落下させて収容できる。使用済みの試験片５１０は、検査装置９００の稼動により定期的に発生する。
【００５７】
試験片移送部９４０の下流側における端部は、設置部９１０に設置された検査装置用廃棄箱１０が検査装置９００に収容された状態において、検査装置用廃棄箱１０の上端部１３よりも高い位置に配置されている。これにより、検査装置用廃棄箱１０の上方から試験片５１０を落下させることにより、開口部１４から検査装置用廃棄箱１０の内部に試験片５１０を収容することができる。
【００５８】
分注部９５０は、ノズル９５１を備える。分注部９５０は、図示しない搬送装置により吸引位置Ｐに搬送された容器７０１から、生体試料７００を吸引する。分注部９５０は、ノズル９５１を用いて、吸引位置Ｐにおいて吸引した生体試料７００を、分注位置Ｐ１で測定部９６０に分注する。分注部９５０は、ノズル９５１を用いて、吸引位置Ｐにおいて吸引した生体試料７００を、滴下位置Ｐ２に移送された試験片５１０に滴下する。分注部９５０は、測定部９６０に生体試料７００を分注した後、試験片５１０に生体試料７００を滴下して、その後、洗浄部９８０においてノズル９５１の洗浄動作を行う。
【００５９】
測定部９６０は、光学的な測定法を用いて生体試料７００の測定を行う。測定部９６０は、分注された生体試料７００に対して、生体試料７００の比重、濁度および色調のうち少なくとも１つに項目に関する測定を行う。なお、測定部９６０は、生体試料７００の比重、濁度および色調以外の項目について測定を行ってもよい。測定部９６０は、光学的な測定法以外の測定法により生体試料７００の測定を行ってもよい。
【００６０】
検出部９７０は、生体試料７００が滴下された試験片５１０の色を検出するために設けられている。検出部９７０は、生体試料７００が滴下された試験片５１０を撮像する。そして、検出部９７０は、試験片５１０の反応部５１０ａの変色度合いをレベル分けし、測定結果として取得する。なお、検出部９７０は、試験片５１０に光を照射し、反応部５１０ａからの反射光を検出することにより、反応部５１０ａの変色度合いを取得してもよい。
【００６１】
洗浄部９８０は、分注部９５０のノズル９５１を洗浄するために設けられている。洗浄部９８０は、洗浄槽９８１を備えている。洗浄槽９８１は、ノズル挿入部９８２と、液体受け部９８３と、オーバフロー液回収部９８４とを備えている。
【００６２】
ノズル挿入部９８２は、上下方向に延びる容器である。ノズル挿入部９８２は、上方に開口している。ノズル挿入部９８２は、筒状に形成されている。ノズル挿入部９８２には、分注部９５０のノズル９５１を洗浄する際に、ノズル９５１が挿入される。この状態で、分注部９５０は、洗浄液収容容器９５２に収容されている洗浄液をノズル９５１の内部に供給して先端から吐出する。これにより、ノズル９５１の内面を洗浄できる。ノズル９５１から吐出された洗浄液は、ノズル挿入部９８２にたまる。これにより、ノズル９５１の外面を洗浄できる。なお、ノズル挿入部９８２は、ノズル挿入部９８２に挿入されたノズル９５１に対して洗浄液を吐出する構成でもよい。
【００６３】
ノズル挿入部９８２の下端部には、流路である配管９９１ｂが連結されている。ノズル９５１の先端から吐出された洗浄液のうち、一部の洗浄液がノズル挿入部９８２から溢れるように、ノズル挿入部９８２内の洗浄液がノズル挿入部９８２の下端部から排出される。
【００６４】
液体受け部９８３は、ノズル挿入部９８２の周囲に形成されている。液体受け部９８３は、ノズル挿入部９８２の上端よりも低い位置に底面を有している。液体受け部９８３により、ノズル９５１の先端から吐出されノズル挿入部９８２から溢れた洗浄液の一部が受けられる。
【００６５】
オーバフロー液回収部９８４は、上下方向に延びている。オーバフロー液回収部９８４は、流体が通るための流路である。オーバフロー液回収部９８４の上端は、洗浄槽９８１の上端よりも低い位置にある。
【００６６】
流体回路部９９０は、配管９９１と、バルブ９９２および９９３と、ポンプ９９４、廃液貯留部９９５と、移送部９９６とを備えている。配管９９１は、配管９９１ａ〜９９１ｅを含んでいる。
【００６７】
配管９９１ａは、一端が測定部９６０に連結されている。配管９９１ａは、他端がバルブ９９２に連結されている。配管９９１ａにより、測定を終えた生体試料７００が測定部９６０から排出される。
【００６８】
配管９９１ｂは、一端が洗浄部９８０のノズル挿入部９８２に連結されている。配管９９１ｂは、他端がバルブ９９３に連結されている。配管９９１ｂにより、洗浄液が、ノズル挿入部９８２から洗浄槽９８１の外部に排出される。
【００６９】
配管９９１ｃは、一端が洗浄部９８０の液体受け部９８３に連結されている。配管９９１ｃは、他端がバルブ９９２に連結されている。配管９９１ｃにより、洗浄液が、液体受け部９８３から洗浄槽９８１の外部に排出される。
【００７０】
配管９９１ｄは、バルブ９９２とバルブ９９３とを連結している。
【００７１】
配管９９１ｅは、バルブ９９３と、廃液貯留部９９５とを連結している。配管９９１ｅには、ポンプ９９４が設けられている。
【００７２】
バルブ９９２は、配管９９１ａまたは９９１ｃのいずれか一方と、配管９９１ｄとを連結するための切替バルブである。測定部９６０における測定が終了した生体試料７００を測定部９６０から排出する場合には、バルブ９９２は、配管９９１ａと、配管９９１ｄとが連結されるように切り替えられる。洗浄部９８０の液体受け部９８３から洗浄液を排出する場合には、バルブ９９２は、配管９９１ｃと、配管９９１ｄとが連結されるように切り替えられる。
【００７３】
バルブ９９３は、配管９９１ｄまたは９９１ｂのいずれか一方と、配管９９１ｅとを連結するための切替バルブである。配管９９１ｄから送られる液体を配管９９１ｅに排出する場合には、バルブ９９３は、配管９９１ｄと、配管９９１ｅとが連結されるように切り替えられる。配管９９１ｂから送られる洗浄液を配管９９１ｅに排出する場合には、バルブ９９３は、配管９９１ｂと、配管９９１ｅとが連結されるように切り替えられる。
【００７４】
ポンプ９９４は、移送部９９６を除く、流体回路部９９０におけるポンプよりも上流の部分に負圧を与えることができる。ポンプ９９４の負圧力により移送された液体が、配管９９１ｅを介して、廃液貯留部９９５に移送される。
【００７５】
移送部９９６は、設置部９１０に設置された検査装置用廃棄箱１０の開口部１５に、検査装置９００の稼動により発生した、使用済みの洗浄液である廃液５２０を移送するために設けられている。移送部９９６により、廃液５２０を、容易に検査装置用廃棄箱１０に収容できる。
【００７６】
移送部９９６は、廃液５２０を排出するための排出管９９６ａを備えている。排出管９９６ａは、弾性変形可能なチューブなどの管状部材により構成されている。排出管９９６ａは、洗浄部９８０のオーバフロー液回収部９８４の下端部よりも、下方に設けられている。排出管９９６ａは、設置部９１０に設置された検査装置用廃棄箱１０が検査装置９００に収容された状態において、開口部１５と同じ高さ位置に配置されている。廃液５２０は、自重により排出管９９６ａの内部を流れることができる。これにより、排出管９９６ａから移送された洗浄液を、容易に開口部１５を介して検査装置用廃棄箱１０の内部に移送できる。なお、排出管９９６ａは、弾性変形しない、たとえば金属製の管状部材でもよい。
【００７７】
排出管９９６ａの先端９９６ｂは、検査装置本体９００ｂに対して固定して配置されている。設置部９１０が検査装置本体９００ｂに対して開いた状態から閉じた状態になる際に、排出管９９６ａの先端９９６ｂが、開口部１５に挿入される。これにより、検査装置用廃棄箱１０を設置した設置部９１０を閉じるだけで、容易に、排出管９９６ａの先端９９６ｂを開口部１５に挿入することができる。このように、廃液５２０を移送する排出管９９６ａの先端９９６ｂが、開口部１５に挿入されることにより、廃液５２０を検査装置用廃棄箱１０の内部に収容することができる。
【００７８】
排出管９９６ａの先端９９６ｂが、開口部１５と同じ高さ位置に配置されている。設置部９１０に設置された検査装置用廃棄箱１０が検査装置９００に設置された状態において、排出管９９６ａの先端９９６ｂは、開口部１５を介して検査装置用廃棄箱１０の内部に配置される。検査装置用廃棄箱１０を設置した設置部９１０が検査装置本体９００ｂに対して閉じた状態において、排出管９９６ａの先端９９６ｂは、検査装置用廃棄箱１０の内面１０ｃに接触しない。これにより、排出管９９６ａから移送された洗浄液を、確実に検査装置用廃棄箱１０の内部に移送できる。
【００７９】
検査装置９００の通常の動作では、配管９９１ｂおよび９９１ｃを介して廃液９２０ａが適切に排出されるので、洗浄部９８０においてオーバフローは基本的に発生しない。しかしながら、分注部９５０を洗浄した際、洗浄部９８０の液体受け部９８３から廃液５２０がオーバフローする場合がある。たとえば、流体回路部９９０のうち、バルブ９９２が不調となり、ノズル挿入部９８２に挿入されたノズル９５１の内部から供給された洗浄液のうち、液体受け部９８３で受けられた排液９２０ａとしての洗浄液を廃液貯留部９９５に移送できない場合でも、オーバフロー液回収部９８４および移送部９９６を介して、検査装置用廃棄箱１０の内部に廃液９２０ａを移送できる。同様に、流体回路部９９０のうち、配管９９１ｂ〜９９１ｅ、バルブ９９３およびポンプ９９４のうち少なくとも１つが不調になった場合でも、オーバフロー液回収部９８４に流れた廃液９２０ａを、移送部９９６を介して検査装置用廃棄箱１０の内部に移送できる。
【００８０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【符号の説明】
【００８１】
１０：検査装置用廃棄箱、１０ｂ：外面、１０ｃ：内面、１１ａ：側面（第１側面、一の対向側面）、１１ｂ：側面（第２側面）、１４：開口部（第１開口部）、１５：開口部（第２開口部）、１６：係合部（第１係合部）、１７：窓部、１８：蓋部、１８ｃ：係合部（第２係合部）、１８ｅ：切欠部、１０１ｂ：樹脂シート（第１樹脂シート）、１０１ｃ：樹脂シート（第２樹脂シート）、１０１ｄ：孔、１１１ｂ：上端、５１０：試験片、５２０：廃液、７００：生体試料、９００：検査装置、９００ｂ：検査装置本体、９１０：設置部、９１３：外面、９１４：開口部（第３開口部）、９４０：試験片移送部、９５０：分注部、９７０：検出部、９８０：洗浄部、９９６：移送部、９９６ａ：排出管、９９６ｂ：先端
【図１】
2017101978.tif 000003
【図２】
2017101978.tif 000004
【図３】
2017101978.tif 000005
【図４】
2017101978.tif 000006
【図５】
2017101978.tif 000007
【図６】
2017101978.tif 000008
【図７】
2017101978.tif 000009
【図８】
2017101978.tif 000010
【図９】
2017101978.tif 000011
【図１０】
2017101978.tif 000012
【図１１】
2017101978.tif 000013